(57)【要約】【課題】給気にも使用でき、脈動の風でも閉鎖状態を長く保ち外風侵入防止が図れるとともに、バタツキ音を発生させない構造の屋外フードを提供することを目的とする。【解決手段】ダクト４に挿入される筒部５と開口部７を有した本体８と、下方に開口を有したフード９と、支持軸１０に軸支されたシャッター１１には上下方向に移動自在な移動軸１２が、フード９の両内側面に設けられた三角形状の移動溝１４に係合された構成により、風によりシャッター１１が最上部に位置するとシャッター１１が閉鎖状態となり、風が収まるまでほぼ閉鎖状態を保つため、室内２への外風侵入を図ることができ、またシャッターのバタツキ音の発生を防止できる。【選択図】図１
2006292252.tif 000002
【特許請求の範囲】
【請求項１】
壁内に設けられ室内と室外を連通させるダクト内に挿入される筒部と、外壁に取り付けられ略中央に開口部を有した本体と、この本体を覆うようにして設けられ下方に開口を有したフードと、この下方の開口を開閉するように、前記本体に設けられた支持軸を支点とし、前記支持軸に回動できるように軸支され下方に凸となる湾曲部を有したシャッターとを備え、前記シャッターには上下方向に移動自在な水平方向に伸びる移動軸を備え、前記フード両内側面には前記移動軸の両先端部が係合するほぼ三角形状の移動溝が形成された屋外フードにおいて、前記移動溝は前記シャッターが外風によって上方に回動する際に、前記移動軸が前記シャッターの先端に位置した状態で移動できるよう斜め上方向かう第１の溝と、前記シャッターが上がりきった状態で、前記移動軸が前記シャッター先端から前記支持軸の方向に移動し得る円弧状の第２の溝と、前記移動軸が前記支持軸方向に移動できる壁面側にやや傾斜した第３の溝と、前記第３の溝と前期第１の溝とを結ぶ第４の溝とでなるほぼ三角形状の閉ループの溝で形成されてなる屋外フード。
【請求項２】
第３の溝が高摩擦となる請求項１記載の屋外フード。
【請求項３】
第３の溝の表面がシリコンまたはゴム等の摩擦抵抗の高い材質でなる請求項２記載の屋外フード。
【請求項４】
第３の溝が凹凸形状となる請求項２記載の屋外フード。
【請求項５】
支持軸と、移動軸を有したシャッターと、移動溝とがユニット化された請求項１または２記載の屋外フード。
【請求項６】
支持軸の上部に壁面側から離れるに従って下方向に傾斜する水ガイドを有した請求項１記載の屋外フード。
【請求項７】
フード下端に網を設け、この網の表面側には複数本の細い毛を有したブラシ部と上下方向に移動軸が可動できる垂直溝を備えた埃除去部材が、シャッターの回転可動と連動して前記網の表面上を水平に可動とした請求項１記載の屋外フード。
【請求項８】
シャッター裏面に磁力を有した鉄製のピンを設け、前記ピンの外周にコイルを設け、このコイルに電気的に結線されているモータと、前記モータによって埃除去部材  を水平に可動とした請求項１または８記載の屋外フード。
【発明の詳細な説明】
【技術分野】
【０００１】
本発明は、建物の換気を行うために換気風路に取り付けられる換気用屋外フードに関するものである。
【背景技術】
【０００２】
近年、住宅には、換気の重要性が高まり、とくに計画的に換気するために排気用の換気扇だけでなく給気用の換気扇を設置することが増えている。
【０００３】
従来、この種の屋外フードは台風時強い風が発生しやすい地域では外風侵入防止のため換気風路の屋外側にシャッター付屋外フードを設置していた。この種のシャッター付屋外フードは排気のみ使用できるものが実用化され、知られている（例えば、特許文献１参照）。
【０００４】
以下、その構成について図９を参照にしながら説明する。
【０００５】
図に示すように、室内１０１と室外１０２を連通する換気風路を形成するダクト１０３に嵌挿する筒部１０４と筒部開口部１０５を覆い、下方を開口としたフード１０６と筒部開口部１０５の前面側に上端を支持軸１０７によって回動できるシャッター１０８でなる屋外フードがあった。この構造は自然状態でシャッター１０８が垂下状態となり、室内側から排気する風圧によってシャッター１０８を開いて換気するものであった。
【０００６】
しかし、上記屋外フードは、外気を室内に導入する給気用として使用すると、外気から室内側に向かう風によって常にシャッターが閉まってしまうため、給気用途としてのものも提案されていた（例えば、特許文献２参照）。
【０００７】
以下、その構成について図１０を参照にしながら説明する。
【０００８】
図に示すように、室内１０１と室外１０２とを連通する換気風路を形成するダクト１０３に嵌挿する筒部１０４と筒部開口部１０５を覆い下方を開口としたフード１０６と筒部開口部１０５よりも下部に位置する支持軸１０７によって回動できるシャッター１０８でなる屋外フードがあった。
【特許文献１】特開平８−２１９５３７号公報（図１）
【特許文献２】登録実用新案第３０４１９１８号公報（第１および２頁、図２および図６）
【発明の開示】
【発明が解決しようとする課題】
【０００９】
このような従来の屋外フードは、定常の状態ではシャッター１０８が垂下状態にありフード１０６の下部の開口から外気の空気を導入するものである。そして強い外風が吹く際にはシャッター１０８が下からがあおられ、上方に回動しフード１０６の下部の開口を塞ぐ構造となっている。
【００１０】
しかしながら自然界では風は常に一定の風速で吹いていることがなく、断続的または強弱する脈動するような風であるため、そのような風では、一度強風が吹いてシャッター１０８があおられ最上部に達しフード１０６の下部の開口を塞いでもシャッター１０８はその自重によってすぐに垂下状態となりフード１０６の下部を開口してしまう。このようなシャッター構造は、脈動する風の状態ではシャッター１０８は瞬間的にしか閉鎖状態とならず、開閉を頻繁に繰り返すバタツキ状態になり、有効な外風侵入防止が図れなく、またバタツキ音が発生するため居住者への騒音が懸念されるという課題があった。
【００１１】
本発明は上記課題を解決するもので、給気にも使用でき、脈動の風でも閉鎖状態を長く保ち外風侵入防止が図れるとともに、バタツキ音を発生させない構造の屋外フードを提供することを目的とする。
【課題を解決するための手段】
【００１２】
本発明の屋外フードは上記目的を達成するために、壁内に設けられ室内と室外を連通させるダクト内に挿入される筒部と、外壁に取り付けられ略中央に開口部を有した本体と、この本体を覆うようにして設けられ下方に開口を有したフードと、この下方の開口を開閉するように、前記本体に設けられた支持軸を支点とし、前記支持軸に回動できるように軸支され下方に凸となる湾曲部を有したシャッターとを備え、前記シャッターには上下方向に移動自在な水平方向に伸びる移動軸を備え、前記フード両内側面には前記移動軸の両先端部が係合するほぼ三角形状の移動溝が形成された屋外フードにおいて、前記移動溝は前記シャッターが外風によって上方に回動する際に、前記移動軸が前記シャッターの先端に位置した状態で移動できるよう斜め上方向かう第１の溝と、前記シャッターが上がりきった状態で、前記移動軸が前記シャッター先端から前記支持軸の方向に移動し得る円弧状の第２の溝と、前記移動軸が前記支持軸方向に移動できる壁面側にやや傾斜した第３の溝と、前記第３の溝と前期第１の溝とを結ぶ第４の溝とでなるほぼ三角形状の閉ループの溝で形成されてなる屋外フードとしたものである。
【００１３】
この手段の構成により、給気用としても使用でき、脈動を伴う風に対しても、一度シャッターが閉まれば強風が収まるまでしばらく閉鎖状態を保ち、外風の侵入を防止でき、また緩やかに定常状態に戻るため、バタツキの発生を防止できる屋外フードが得られる。
【００１４】
また、本発明の屋外フードは、第３の溝が高摩擦となるため、シャッターの閉鎖時間を長くできる。
【００１５】
また、本発明の屋外フードは、第３の溝の表面がシリコンまたはゴムなどの摩擦抵抗の高い材質でなるため、シャッターの閉鎖時間を長くできる。
【００１６】
また、本発明の屋外フードは、第３の溝が凹凸形状となるためシャッターの閉鎖時間を長くできる。
【００１７】
また、本発明の屋外フードは、支持軸と、移動軸を有したシャッターと、移動溝とがユニット化されたもので、既設のフードに後付けでシャッターをつけることができる。
【００１８】
また、本発明の屋外フードは、シャッター支持軸の上部に壁面側から離れるに従って下方向に傾斜する水ガイドを有したもので、水たれによる壁面の汚れを防止できる。
【００１９】
また、本発明の屋外フードは、フード下端に網を設け、この網の表面側には複数本の細い毛を有したブラシ部と上下方向に移動軸が可動できる垂直溝を備えた埃除去部材が、シャッターの回転可動と連動して前記網の表面上を水平に可動できるもので、網に付着した埃を自動的に取り除くことができる。
【００２０】
また、本発明の屋外フードは、シャッター裏面に磁力を有した鉄製のピンを設け、前記ピンの外周にコイルを設け、コイルに電気的に結線されているモータと、前記モータによって埃除去部材を水平に可としたものであり、網に付着した埃を自動的に取り除くことができる。
【発明の効果】
【００２１】
本発明の屋外フードによれば、給気用としても使用でき、脈動を伴う風に対しても、一度シャッターが閉まれば強風が収まるまでしばらく閉鎖状態を保ち、外風の侵入を防止でき、また緩やかに定常状態に戻るため、バタツキの発生を防止できる屋外フードを提供することができる。
【００２２】
また、シャッターの閉鎖時間を長くできる。
【００２３】
また、既設のフードに後付けでシャッターをつけることができる。
【００２４】
また、ダクト内に溜まった水が室外に排出される際、壁面に水が接触するのを防ぐため水たれによる壁面の汚れを防止できる。
【００２５】
また、網に付着した埃を自動的に取り除くことができる。
【発明を実施するための最良の形態】
【００２６】
本発明の請求項１に記載の屋外フードは、壁内に設けられ室内と室外を連通させるダクト内に挿入される筒部と、外壁に取り付けられ略中央に開口部を有した本体と、この本体を覆うようにして設けられ下方に開口を有したフードと、この下方の開口を開閉するように、前記本体に設けられた支持軸を支点とし、前記支持軸に回動できるように軸支され下方に凸となる湾曲部を有したシャッターとを備え、前記シャッターには上下方向に移動自在な水平方向に伸びる移動軸を備え、前記フード両内側面には前記移動軸の両先端部が係合するほぼ三角形状の移動溝が形成された屋外フードにおいて、前記移動溝は前記シャッターが外風によって上方に回動する際に、前記移動軸が前記シャッターの先端に位置した状態で移動できるよう斜め上方向かう第１の溝と、前記シャッターが上がりきった状態で、前記移動軸が前記シャッター先端から前記支持軸の方向に移動し得る円弧状の第２の溝と、前記移動軸が前記支持軸方向に移動できる壁面側にやや傾斜した第３の溝と、前記第３の溝と前期第１の溝とを結ぶ第４の溝とでなるほぼ三角形状の閉ループの溝で形成されてなるものであり、給気用としても使用でき、脈動を伴う風に対しても、一度シャッターが閉まれば強風が収まるまでしばらく閉鎖状態を保ち、外風の侵入を防止でき、また緩やかに定常状態に戻るため、バタツキの発生を防止できるという作用を有する。
【００２７】
また、請求項２記載の屋外フードは、第３の溝が高摩擦となるものであり、移動軸が転がる際、第３の溝が高摩擦であるため、シャッターの閉鎖時間を長くできるという作用を有する。
【００２８】
また、請求項３記載の屋外フードは、第３の溝の表面がシリコンまたはゴム等の摩擦抵抗の高い材質でなるものであり、シャッターの閉鎖時間を長くできるという作用を有する。
【００２９】
また、請求項４記載の屋外フードは、第３の溝が凹凸形状となるものであり、シャッターの閉鎖時間を長くできるという作用を有する。
【００３０】
また、請求項５記載の屋外フードは、支持軸と、移動軸を有したシャッターと、移動溝とがユニット化されたものであり、ユニット化によって既設のフードに後付けでシャッターをつけることができるという作用を有する。
【００３１】
また、請求項６記載の屋外フードは、支持軸の上部に壁面側から離れるに従って下方向に傾斜する水ガイドを有したものであり、ダクト内に溜まった水が室外に排出される際、壁面に水が接触するのを防ぐため、水たれによる壁面の汚れを防止できるという作用を有する。
【００３２】
また、請求項７記載の屋外フードは、フード下端に網を設け、この網の表面側には複数本の細い毛を有したブラシ部と上下方向に移動軸が可動できる垂直溝を備えた埃除去部材が、シャッターの回転可動と連動して前記網の表面上を水平に可動としたものであり、シャッターの回転と連動して前記網の表面上を水平に動くので、網に付着した埃を自動的に取り除くことができるという作用を有する。
【００３３】
また、請求項８記載の屋外フードは、シャッター裏面に磁力を有した鉄製のピンを設け、前記ピンの外周にコイルを設け、このコイルに電気的に結線されているモータと、前記モータによって埃除去部材  を水平に可動としたものであり、網に付着した埃を自動的に取り除くことができるという作用を有する。
【００３４】
以下、本発明の実施の形態１について、図１〜図８を参照しながら説明する。
【００３５】
（実施の形態１）
図１から図４に示すように、壁内１に設けられ室内２と室外３とを連通するダクト４に挿入される筒部５と、外壁６に取り付けられ略中央に開口部７を有した本体８と、この本体８を覆うようにして下方に開口を有したフード９と、この下方の開口を開閉するように、本体８に設けられた支持軸１０を備え、支持軸１０に回動できるように軸支され下方に凸となる湾曲部を有したシャッター１１とを備え、シャッター１１には上下方向に移動自在な水平に伸びる移動軸１２が軸可動空間１３内で軸動可能となっている。フード９の両内側面には移動軸１２の両先端部が係合するほぼ三角形状の移動溝１４が形成され、移動溝１４にはシャッター１１が外風によって上方に回動する際に、移動溝１４がシャッター１１の先端側に位置した状態で移動できるよう斜め上方に向かう第１の溝１５と、シャッター１１が最上部に位置した状態で、移動軸１２がシャッター１１の先端から支持軸１０の方向に移動し得る円弧状の第２の溝１６と、移動軸１２が支持軸１０の方向に移動できる外壁６面側にやや傾斜した第３の溝１７と、第３の溝１７と第１の溝１５とを結ぶ第４の溝１８とでなる構成としている。
【００３６】
上記構成において、外風がない場合には、換気扇（図示せず）の運転により室外３の空気をフード９とシャッター１１との間の開口部分を通り、本体８の開口部７を通り室内２へ導入される。そして、台風など強風が発生した際にはフード９の下部から外風が入ろうとすると、外風がシャッター１１の裏面にあたりその風圧によってシャッター１１が支持軸１０を支点に上方に回動する。このとき移動軸１２はその自重により、シャッター１１の先端側に位置している。上方に回動するとき、移動軸１２は移動溝１４の第１の溝１５に沿いながら第２の溝１６に到達し、第３の溝１７の最左端へと移行され、フード９下部の開口を閉鎖し、室内２への外風侵入を防止する。このとき、風が一瞬弱まれば、移動軸１２は第３の溝１７の傾斜に沿ってゆっくり転動する。このように風が一瞬弱まっても移動軸１２が第３の溝１７に位置しており、シャッター１１はすぐには垂下状態にはならなく、フード９下部の開口をほぼ閉鎖状態に保持している。また、さらに風が吹けばシャッター１１はその角度を保持しているため、下からの吹きこみの風に対してシャッター１１に風があたる面積が広く、風圧を受けやすいため、シャッター１１が上方に回動する方向に力が働き閉鎖を維持する。このように移動溝１４によってシャッター１１の閉鎖時間を長く保持しているため、風が断続的に発生しても、風が収まるまでシャッター１１の閉鎖を保つことができ、室内２への外風侵入を防止することができる。そして、風が完全に収まれば、移動軸１２は第３の溝１７の最右端から第４の溝１８へ移動し、移動軸１２はその自重により移動溝１４の最下端にもどりシャッター１１を完全に開放する。
【００３７】
このように、このように本発明の実施の形態１の屋外フードによれば脈動するような風であっても、一度シャッター１１が閉鎖状態になれば、風が収まるまでほぼ閉鎖状態を保つので、室内２への外風侵入防止を図ることができ、また風が収まるまで、頻繁に大きな開閉をすることがないため、シャッター１１のバタツキ音の発生を防止できる。
【００３８】
また、第３の溝１７を高摩擦に形勢すると、移動軸１２が第３の溝１７上を転動する際、ゆっくりと転がるのでシャッター１１の閉鎖時間を長くすることができる。
【００３９】
また、表面がシリコンまたはゴム等の摩擦係数の高い材質からなる第３の溝１７ａとすると、移動軸１２が第３の溝１７ａ上を転動する際、さらにゆっくりと転がるのでシャッターの閉鎖時間を長くすることができる。
【００４０】
また、凹凸形状となった第３の溝１７ｂとしても、移動軸１２が第３の溝１７ｂ上を転動する際、ゆっくりと転がるのでシャッターの閉鎖時間を長くすることができる。
【００４１】
（実施の形態２）
図５に示すように、移動溝１４を有する左右の溝板２０が中央板２１と一体成形されており、溝板２０は支持軸１０を通す軸穴２２を有し、支持軸１０は移動軸１２を有したシャッター１１の軸貫通穴２３に挿通され、支持軸１０の両端部は軸穴２２に軸止される。さらに移動軸１２は移動溝１４に係合されてなるシャッターユニット２４を形成する。
【００４２】
上記構成において、既設のシャッターのない屋外フードで、外風がしばしば侵入する場合には、既設のフード下部からシャッターユニット２４を挿入し、本体８にシャッターユニット２４の中央板２１を位置させ、中央板２１の裏面に両面テープなどにより本体８とシャッターユニット２４を固定させることができ、既設のフードにシャッターユニット２４を後付けで設置することができる。
【００４３】
このように本発明の実施の形態２のシャッターユニット２４によれば、支持軸１０と移動軸１２を有したシャッター１１と移動溝１４とが一体となっているので、シャッターのない既設の屋外フードに後付けすることができる。
【００４４】
なお、本実施の形態において、本体８とシャッターユニット２４を両面テープで固定するとしたが、中央板２１に本体８とを固定するためのネジ穴を設けて、タッピングネジで本体８とシャッターユニット２４を固定する方法としても同様の作用を有する。
【００４５】
（実施の形態３）
図６に示すように、支持軸１０の上部に壁面側から離れるに従って下方向に傾斜する水ガイド３１を有した構成とする。
【００４６】
上記構成において、夏または冬など室内と室外に温度差が発生する際には筒部５の内部に結露が起こりその結露水３２は筒部５の下端に溜まる。この結露水３２は筒部５内の埃などを含み汚れた水となっている。そして筒部５の下端に溜まった結露水３２は、筒部５から室外側へ流れると、水ガイド３１の上に滴下し、水ガイド３１の傾斜に沿って流れ、さらにシャッター１１に滴下する。シャッター１１に滴下した結露水３２はシャッター１１の表面を伝ってシャッター１１の先端側で滴下する。このときシャッター１１は下に凸となる湾曲部を有しているため、壁から離れたところで落ちるので外壁に結露水３２が付着することがなく、結露水３２によって外壁を汚すのを防止できる。
【００４７】
このように本発明の実施の形態３の屋外フードによれば、汚れた結露水３２が、水ガイド３１を伝い、さらに湾曲したシャッター１１の表面の先端から滴下し、結露水３２が外壁に付着することがないため、結露水３２によって外壁を汚すのを防止することができる。
【００４８】
（実施の形態４）
図７に示すように、移動軸１２の先端と係合され、移動軸１２が縦方向に可動とした垂直溝４１を備え、垂直溝４１の下部には複数本の細い毛を有したブラシ４２が設けられた埃除去部材４３が、フード下部に設けられた網４４の上を往復移動できる位置に設置された構せいとする。
【００４９】
上記構成において、移動軸１２は移動溝１４および垂直溝４１に係合されているため、シャッター１１が外風にあおられて移動軸１２が移動溝１４に沿って上方に回動すると、移動軸１２は垂直溝４１の溝内を保ちながら、垂直溝４１を左側に移動させる力が働き、埃除去部材４３は左側に動く。このとき、埃除去部材４３の下端に設けられたブラシ４２が網４４の上を引っかきながら動くため網４４に付着した埃を自動的に除去することができる。
【００５０】
このように本発明の実施の形態４の屋外フードによれば、シャッター１１が動く際、連動して埃除去部材４３が網４４の上を水平に動くため、埃除去部材４３に設けられたブラシ４２で自動的に網４４に付着した埃を除去することができる。
【００５１】
（実施の形態５）
図８に示すように、シャッター１１の裏面に磁力を有した鉄製のピン５１を設け、ピン５１の外周にコイル５２を設け、コイル５２に電気的に結線されているモータ５３と、モータ５３によって埃除去部材４３ａを水平可動させる構造とする。
【００５２】
上記構成において、強風にあおられたシャッター１１は上方に回動すると同時に、シャッター１１裏面に設けられたピン５１がコイル５２から抜け出す際、電磁力によりコイル５２に電流が励起され、コイル５２に電気的に結線されたモータ５３に電気を与え、この電気によってモータの出力軸（図示せず）を回転させる。この回転により埃除去部材４３ａを水平に動かすことにより網４４に付着した埃を除去することができる。
【００５３】
このように本発明の実施の形態５の屋外フードによれば、シャッター１１の裏面に設けられたピン５１がコイル５２から抜け出す際、コイル５２に励起される電流がモータ５３に動力を与え、その動力により埃除去部材４３ａを水平に動かすため、埃除去部材４３ａに設けられたブラシ４２で自動的に網に付着した埃を除去することができる
【産業上の利用可能性】
【００５４】
本発明の屋外フードは、排気用・給気用のいずれにも使用でき、脈動を伴う風に対して外風の侵入を防止し、またバタツキの発生を防止するのに必要な換気用屋外フードとして有用である。
【図面の簡単な説明】
【００５５】
【図１】本発明の実施の形態１の屋外フードの構成を示す断面図
【図２】同屋外フードの作動状態を示す断面図
【図３】同屋外フードの要部を示す断面図
【図４】同屋外フードの移動溝を示す断面図
【図５】本発明の実施の形態２の屋外フードのシャッターユニットを示す斜視図
【図６】本発明の実施の形態３の屋外フード構成を示す断面図
【図７】本発明の実施の形態４の屋外フード構成を示す断面図
【図８】本発明の実施の形態５の屋外フード構成を示す断面図
【図９】従来の排気用の屋外フードの構成を示す断面図
【図１０】従来の排気・給気用の屋外フードの構成を示す断面図
【符号の説明】
【００５６】
１      壁内
２      室内
３      室外
４      ダクト
５      筒部
６      外壁
７      開口部
８      本体
９      フード
１０    支持軸
１１    シャッター
１２    移動軸
１４    移動溝
１５    第１の溝
１６    第２の溝
１７    第３の溝
１７ａ  第３の溝
１８    第４の溝
２４    シャッターユニット
３１    水ガイド
４１    垂直溝
４２    ブラシ
４３    埃除去部材
４３ａ  埃除去部材
４４    網
５１    ピン
５２    コイル
５３    モータ
【図１】
2006292252.tif 000003
【図２】
2006292252.tif 000004
【図３】
2006292252.tif 000005
【図４】
2006292252.tif 000006
【図５】
2006292252.tif 000007
【図６】
2006292252.tif 000008
【図７】
2006292252.tif 000009
【図８】
2006292252.tif 000010
【図９】
2006292252.tif 000011
【図１０】
2006292252.tif 000012